(57)【特許請求の範囲】
【請求項１】
転向範囲（２０−２３）を介し、とくに転向輪（２４−２７）を介してエンドレスに循環案内される少なくとも１つの送り手段（１９）が設けられており、この送り手段が、その外側に、送り方向（ｘ）に対して横向きにその長手軸線（Ｌ）を配置したセル板（４１）を有し、これらのセル板が、送り方向（ｘ）に対して横向きに配置されたそれぞれ１つの列（Ｒ）の容器収容部（Ａ）を有し、これらの容器収容部が、加えて送り方向（ｘ）に配置された走行路（Ｓ）を形成し、かつこれらの容器収容部が、容器供給位置（３０）、製品充填位置（３３，３４）、蓋載せ位置（３５）、蓋閉じ位置（３６）及び容器取出し位置（３８）のように、これらに整列された作業位置（３０−３８）を順に通過する、希薄液状ないしペースト状の酪農及び脂肪製品、ジュース、水等のような食料品及び嗜好品により瓶及びその他の容器（Ｂ）を満たす装置（１０）において、支持要素が細長い板（４１）であり、これらの板が切り欠き（４８，４９）を有し、これらの切り欠きが容器収容部（Ａ）を形成し、その際、それぞれの板（４１）が、大体において送り方向（ｘ）に対して横向きに配置されかつ容器収容部（Ａ）を分割する分離継目（Ｔ）によって、２つの相補的な部分板（４２−４３）に分割されており、これらの部分板が、送り方向（ｘ）に関して間隔を置いてかつ互いに独立に、送り手段（１９）に取付けられており、その際、容器（Ｂ）が、送り手段（１９）の転向範囲（２２）において両方のそれぞれの相補的な部分板（４２，４３）の相互の角度位置のために開いた分離継目（Ｔ）の際に、容器収容部（Ａ）に供給され、又はここから取出され、かつ直線的に延びた送り手段（１９）において同時に閉じた分離継目（Ｔ）の際に、容器収容部（Ａ）内に保持されることを特徴とする、希薄液状のないしペースト状の酪農及び脂肪製品、ジュース、水等のような食料品及び嗜好品により瓶及びその他の容器（Ｂ）を満たす装置（１０）。
【請求項２】
取付け手段（４６）が設けられており、これらの取付け手段が、それぞれの部分板（４２，４３）を、送り手段（１９）の外側から引き離し、かつそのそれぞれの転向範囲（例えば２２，２３）においてこの送り手段に対して接線方向に整列して保持することを特徴とする、請求項１に記載の瓶を満たす装置。
【請求項３】
部分板（４２，４３）が、転向範囲（例えば２２，２３）に関して半径方向に配置された片（４７における）によって送り手段（１９）に取り付けられていることを特徴とする、請求項２に記載の瓶を満たす装置。
【請求項４】
容器収容部（Ａ）が円形の切り欠き（４８，４９）によって形成されており、これらの切り欠きが、それぞれ相補的な部分板（４２，４３）の互いに向かって開いた半円形の２つの切り欠き（４８；４９）から構成されていることを特徴とする、請求項１ないし３の１つに記載の瓶を満たす装置。
【請求項５】
分離継目（Ｔ）が、相補的な２つの部分板（４２，４３）の間の鏡像対称平面内に配置されていることを特徴とする、請求項１ないし４の１つに記載の瓶を満たす装置。
【請求項６】
容器（Ｂ）を供給するために、転向範囲（２２）に隣接して、転向範囲（２２）の転向軸線（３９）に対して平行な揺動軸線（４０）を有する揺動ブラケット（２９）が配置されており、その際、揺動ブラケット（２９）によって容器（Ｂ）のそれぞれの保持範囲（Ｈ）が、開いた分離継目（Ｔ）内に導入され、かつ継続する揺動運動（ａにおける）によって、分離継目が閉じるまで、分離継目（Ｔ）内に保持されることを特徴とする、請求項１ないし５の１つに記載の瓶を満たす装置。
【請求項７】
揺動ブラケット（２９）が、揺動軸線（４０）に関して割線方向に配置された容器立て面（４４）と揺動半径（ＳＲ）に対して平行に延びた容器支持面（４５）とを有するアングルブラケットを形成していることを特徴とする、請求項６に記載の瓶を満たす装置。
【請求項８】
少なくとも３つ、なるべく４つの転向範囲（２０−２３）及び下側列（Ｕ）を有する送り手段（１９）の際、それぞれ下側列（Ｕ）において送り手段（１９）の外側において、送り方向（ｘ）に関して上流に配置された転向範囲（２２）において容器収容部（Ａ）への容器（Ｂ）の供給が行なわれ、かつ下流に配置された転向範囲（２３）において容器（Ｂ）の取出しが行なわれることを特徴とする、請求項１ないし７の１つに記載の瓶を満たす装置。
【発明の詳細な説明】
【０００１】
【発明の属する技術分野】
本発明は、転向範囲を介し、とくに転向輪を介してエンドレスに循環案内される少なくとも１つの送り手段が設けられており、この送り手段が、その外側に、送り方向に対して横向きにその長手軸線を配置したセル板を有し、これらのセル板が、送り方向に対して横向きに配置されたそれぞれ１つの列の容器収容部を有し、これらの容器収容部が、加えて送り方向に配置された走行路を形成し、かつこれらの容器収容部が、容器供給位置、製品充填位置、蓋載せ位置、蓋閉じ位置及び容器取出し位置のように、これらに整列された作業位置を順に通過する、希薄液状ないしペースト状の酪農及び脂肪製品、ジュース、水等のような食料品及び嗜好品により瓶及びその他の容器を満たす装置に関する。瓶充填機構として形成されたこの類の装置は、とりわけドイツ連邦共和国特許出願公開第１９６４２９８７号明細書に記載されている。
【０００２】
【従来の技術】
ドイツ連邦共和国特許出願公開第１９６４２９８７号明細書に記載された装置は、ほぼかご状に形成された容器収容部を有し、これらの容器収容部は、エンドレスに循環案内される送り手段の運動方向に直交してその外側に取付けられている。その際、殺菌し、充填しかつ閉鎖すべき瓶は、この場合ＰＥＴ瓶は、複数の走行路において送り手段の上側列を通過する。容器収容部のかご状の形成は、比較的手間のかかる構成様式を引起こし、かつその他の点において所定の容積及び所定の最大直径の瓶の利用しか可能にしない。
【０００３】
その他の装置は、ドイツ連邦共和国特許第３７１６０９６号明細書に記載されている。その公知の装置において、カップのために使われる容器収容部は、切り欠きによって形成されており、これらの切り欠きは、細長い板、いわゆるセル坂に設けられており、これらの板は、エンドレスに循環案内される片チェーンによって形成された２つの送り手段の外側に保持されており、かつこれにより連行される。
【０００４】
【発明が解決しようとする課題】
ドイツ連邦共和国特許出願公開第１９６４２９８７号明細書の対象から出発して、本発明の課題は、種々の容器を処理するため、とくに種々の瓶を処理するために適した装置を開発することにある。
【０００５】
【課題を解決するための手段】
本発明に相応してこの課題は、次のようにして解決される。すなわち支持要素が細長い板であり、これらの板が切り欠きを有し、これらの切り欠きが容器収容部を形成し、その際、それぞれの板が、大体において送り方向に対して横向きに配置されかつ容器収容部を分割する分離継目によって、２つの相補的な部分板に分割されており、これらの部分板が、送り方向に関して間隔を置いてかつ互いに独立に、送り手段に取付けられており、その際、容器が、送り手段の転向範囲において両方のそれぞれの相補的な部分板の相互の角度位置のために開いた分離継目の際に、容器収容部に供給され、又はここから取出され、かつ直線的に延びた送り手段において同時に閉じた分離継目の際に、容器収容部内に保持される。
【０００６】
本発明の特殊性は、同時に容器収容部を分割する分離継目によって、２つの相補的な部分板にそれぞれの細長い板を長手分割することにある。
【０００７】
互いに対応する相補的な部分板は、それぞれ互いに独立に、エンドレスに循環案内される送り手段の外側に保持されている。その際、本発明は、対応する相補的な２つの部分板が、転向範囲、例えばチェーン星形部を通過する際に、転向範囲に関して互いに異なった割線位置を、すなわち角度位置を占めるという効果を利用しており、このことは、開いた分離継目及び同時に開いた容器収容部を伴って現われる。この時、これらの一時的に開いた容器収容部内に、容器の保持範囲が導入される。
【０００８】
容器の取出しは、送り方向に関して下流に続く転向範囲において、前記の容器供給と比較して同様に逆転した様式で行なわれる。
【０００９】
その際、容器の保持範囲がどのように構成されているかは、原則的に微妙ではない。このような保持範囲は、例えば円筒形又は円錐形の容器のフランジによって、又は瓶のアンダカット範囲によって形成することができる。
【００１０】
本発明による装置は、とくに瓶の利用に適している。多数の瓶タイプは、同じ寸法を有する少なくとも類似に形成された口範囲を有するので、本発明は、相違した外径及び容積の異なった瓶タイプの利用を可能にする。
【００１１】
これらが転向範囲を通過する間における相補的な２つの部分板の間の分離継目のとくに大きな開き幅は、本発明によれば、取付け手段によって達成され、これらの取付け手段は、それぞれの部分板を、送り手段の外側から引き離し、かつそのそれぞれの転向範囲においてこの送り手段に対して接線方向に整列して保持する。
【００１２】
個別的には取付け手段は、部分板が、転向範囲に関して半径方向に配置された片によって送り手段に取り付けられているように形成することができる。
【００１３】
本発明の別の構成において、容器収容部が円形の切り欠きによって形成されており、これらの切り欠きが、それぞれ相補的な部分板の互いに向かって開いた半円形の２つの切り欠きから構成されている、容器収容部は有利とわかった。そうでない場合、本発明は、利用される容器タイプの周輪郭に整合して、容器収容部切り欠きのきわめて異なった形成の周輪郭を可能にする。
【００１４】
本発明の別の構成によれば、部分板の簡単な製造可能性は、分離継目が、相補的な２つの部分板の間の鏡像対称平面内に配置されていることによって与えられる。
【００１５】
本発明によれば、容器を供給するために、転向範囲に隣接して、転向範囲の転向軸線に対して平行な揺動軸線を有する揺動ブラケットが配置されており、その際、揺動ブラケットによって容器のそれぞれの保持範囲が、開いた分離継目内に導入され、かつ継続する揺動運動によって、分離継目が閉じるまで、分離継目内に保持される。
【００１６】
本発明の変形に相応して、揺動ブラケットは、揺動軸線に関して割線方向に配置された容器立て面と揺動半径に対して平行に延びた容器支持面とを有するアングルブラケットを形成している。
【００１７】
本発明の別の構成において、容器供給及び容器取出しのとくに目的に合った配置は、次のようになっている。すなわち少なくとも３つ、なるべく４つの転向範囲及び下側列を有する送り手段の際、それぞれ下側列において送り手段の外側において、送り方向に関して上流に配置された転向範囲において容器収容部への容器の供給が行なわれ、かつ下流に配置された転向範囲において容器の取出しが行なわれる。
【００１８】
【発明の実施の形態】
図面に本発明に相応して有利な実施例が示されている。
【００１９】
図１において、容器Ｂ、図示した適用例において瓶を満たす装置は、全体として参照符号１０によって示されている。装置１０のハウジング１１は、支持脚１２を介して建物設置面１３上に立てられている。
【００２０】
ハウジング１１は、大体においてフレーム状に形成されており、かつそれにしたがって下側フレーム脚１４、上側フレーム脚１５、及び上側及び下側フレーム脚を互いに結合するフレーム橋絡片１６、１７を有する。上側フレーム脚１５は、その中央の範囲によって支持ゲート１８を介して下側フレーム脚１４上に支持されている。
【００２１】
ハウジング１１のフレームによって送り手段１９（けん引手段）は、ほぼフレーム端部に配置された転向範囲２０、２１、２２、２３を介して、エンドレスに循環するように案内されている。転向範囲２０、２１の間に送り手段１９の上側列ＯＴが、かつ転向範囲２２、２３の間に下側列ＵＴが延びている。
【００２２】
送り手段１９は、目的に合った任意の様式で、例えばチェーンとして、ロープ又は歯付きベルトとして形成することができる。図示した実施例において送り手段１９は、２つのスプロケットチェーンによって形成されている。送り手段１９は、それにしたがって対になって存在し、したがって本実施例において送り方向ｘに延びた２つの個別チェーンからなる。
【００２３】
送り手段１９の駆動は、転向範囲２０に配置されたチェーン駆動輪２４を介して回転方向Ｕに行なわれるが、一方その他の転向範囲２１、２２、２３には、それぞれ駆動しない一緒に回転するチェーン転向輪２５、２６、２７だけが存在する。それにしたがって送り手段戻り方向は、ｚによって、送り手段の送り方向はｘによって示されている。転向範囲２０−２３又は転向輪２４−２７の軸線（転向軸線）は、統一的にそれぞれ参照符号３９を有する。
【００２４】
転向範囲２２の外側に、充填すべき容器Ｂが、しかもこの場合ＰＥＴ瓶が、容器引渡し装置２８を介して近付けられ、かつ最終的に揺動ブラケット２９を有する容器供給位置３０によって、以下になお詳細に説明すべき方法で、細長い板４１に、しかも長方形の板４１に供給されるので、容器Ｂは、直接送り手段の下側列ＵＴにおける板４１を介して、ここに吊されて処理区間を通過することができる。板４１は、送り方向ｘに対して横向きにその長手軸線Ｌを有するように配置されている。
【００２５】
下側列ＵＴに付属の処理区間に、方向ｘにおける送り流に相応して前後に切離されて、次の作業位置が所属しており：容器供給位置３０の後の下流に、容器Ｂによって占有されていない容器収容部Ａを見付けるセンサ位置３１、殺菌剤位置３２、第１の製品、製品の基礎を容器Ｂ内に供給する第１の充填位置３３、第２の製品を容器Ｂ内に供給する第２の充填位置３４、蓋殺菌及び同時に蓋供給位置３５、蓋封印位置３６、蓋縁曲げ位置３７、及び容器取出し位置３８が所属している。
【００２６】
容器Ｂの供給のために、転向範囲２２に隣接して、揺動ブラケット２９を有するすでに述べた容器供給位置３０が設けられており、この揺動ブラケットは、転向範囲２２の又はチェーン転向輪２６の転向軸線３９に対して平行な揺動軸線４０を有する。
【００２７】
送り手段１９の外に、送り方向ｘに対して横向きに配置されて、細長い板４１が設けられており、これらの板は、それぞれ互いに相補的な２つの部分板４２、４３からなり、これらの部分板は、分離継目Ｔによって分割されており、この分離継目は、同時に切り欠きからなる容器収容部Ａを分割している。容器収容部Ａは、それぞれ互いに向き合って開いた半円形の２つの切り欠き４８、４９から構成されている。
【００２８】
転向範囲２２を通過する際に対応する相補的な両方の部分板４２、４３の相互の角度位置のために継目Ｔが開いているので、図３から明らかなように、容器Ｂの保持範囲Ｈが容器収容部Ａ内に導入できることは、図２から明らかである。
【００２９】
揺動ブラケット２９は、揺動軸線４０に関してほぼ割線方向に配置された容器立て面４４と所属の揺動半径ＳＲに対してほぼ平行に延びた容器支持面４５とを有するアングルブラケットをなしている。
【００３０】
図２に示された作業位置から図３による作業位置に移行する際、揺動ブラケット２９は揺動方向ａにあらかじめ揺動している。
【００３１】
方向ａにおけるこの揺動運動は、図４、５及び６による中間位置に相応して、分離継目Ｔ、したがって容器収容部Ａが最終的に閉じるまで、連行運動として継続するので、図７によりそれぞれの容器Ｂは、確実にそれぞれの容器収容部Ａ内に吊される。
【００３２】
その他の点において図７は、揺動ブラケット２９が反対揺動方向ｂに戻し揺動されているので、改めて容器Ｂが供給送り方向ｙに沿って上から容器支持面４５に沿って容器立て面４４に送ることができることを示している。
【００３３】
この場合（図９参照）、３走行路の装置が問題になっているので、常に３つの容器を含む１つの容器列Ｒが揺動ブラケット２９に供給され、かつ常に３つの容器Ｂが、その保持範囲Ｈによって同時に容器収容部Ａ内に導入される。
【００３４】
図９において、収容部Ａによって形成される走行路はＳで、列はＲで示されている。
【００３５】
容器Ｂが下側列ＵＴの個々の作業位置を通過した後に、充填されかつ縁曲げされた蓋を備えた容器Ｂは、大体において短いコンベヤベルトをなす容器取出し位置３８によって転向範囲２３から取出される。なぜなら転向範囲２３において容器収容部Ａを有する分離継目Ｔは、図２による表示と同様に開かれ、かつ容器Ｂの保持範囲Ｈは釈放されているからである。
【００３６】
したがって分離継目Ｔは、転向範囲において、例えば２２及び２３において開き、かつこれらが送り方向ｘにおいて送り手段１９及び板４１の直線的に延びた配置に移行するとすぐに閉じ、その際、後者は、例えば下側列ＵＴの初めの場合である。
【００３７】
転向範囲２２、２３における分離継目Ｔの開き幅を拡大するために、送り方向ｘに関して間隔を置いてかつ互いに独立に送り手段１９に取付けられた相補的な部分板４２、４３は、送り手段１９の外側から引き離されている。このことは、詳細には図２及び３に示すアングル片４６によって行なわれ、これらのアングル片は、転向範囲２２、２３に対して半径方向に配置された間隔橋絡片４７を形成している。
【００３８】
ＰＥＴ瓶Ｂが、そのおねじ口５１の下に配置された保持フランジ５０によって容器収容部Ａを形成する部分板４２、４３上にどのように支持されるかは、図８及び９において明らかである。
【図面の簡単な説明】
【図１】容器、図示した実施例において瓶を満たす装置の概略的な側面図である。
【図２】図１においてＩＩ−ＶＩＩによって示す円に囲まれた細部にほぼ相応してその種々の作業段階における容器供給位置を示す略図である。
【図３】図１においてＩＩ−ＶＩＩによって示す円に囲まれた細部にほぼ相応してその種々の作業段階における容器供給位置を示す略図である。
【図４】図１においてＩＩ−ＶＩＩによって示す円に囲まれた細部にほぼ相応してその種々の作業段階における容器供給位置を示す略図である。
【図５】図１においてＩＩ−ＶＩＩによって示す円に囲まれた細部にほぼ相応してその種々の作業段階における容器供給位置を示す略図である。
【図６】図１においてＩＩ−ＶＩＩによって示す円に囲まれた細部にほぼ相応してその種々の作業段階における容器供給位置を示す略図である。
【図７】図１においてＩＩ−ＶＩＩによって示す円に囲まれた細部にほぼ相応してその種々の作業段階における容器供給位置を示す略図である。
【図８】図７においてＶＩＩＩによって示す円にほぼ相応する拡大した細部を示す図である。
【図９】図４にＩＸで示す眺め方向にほぼ相応する細長い板の列の部分的な平面図である。
【符号の説明】
１０  瓶を満たす装置
１９  送り手段
２０  転向範囲
２１  転向範囲
２２  転向範囲
２３  転向範囲
２４  転向輪
２５  転向輪
２６  転向輪
２７  転向輪
２９  揺動ブラケット
３０  供給位置
３３  製品充填位置
３４  製品充填位置
３５  蓋載せ位置
３６  蓋閉じ位置
３８  容器取出し位置
３９  転向軸線
４０  揺動軸線
４１  板
４２  部分板
４３  部分板
４６  取付け手段
４７  片
４８  切り欠き
４９  切り欠き
Ａ    容器収容部
Ｂ    容器
Ｌ    長手軸線
Ｒ    列
Ｓ    走行路
ＳＲ  揺動半径
Ｔ    分離継目
ｘ    送り方向
【図１】
0003569868.tif 000002
【図２】
0003569868.tif 000003
【図３】
0003569868.tif 000004
【図４】
0003569868.tif 000005
【図５】
0003569868.tif 000006
【図６】
0003569868.tif 000007
【図７】
0003569868.tif 000008
【図８】
0003569868.tif 000009
【図９】
0003569868.tif 000010